(57)【特許請求の範囲】
【請求項１】
画像を表示する表示部を有する表示記録媒体と、前記表示記録媒体の表示部に画像を書き込む書込シートと、を具備する画像処理システムであって、
前記表示記録媒体は、当該表示記録媒体の所定位置に配設され、電力を受電する受電コイルと、
前記表示記録媒体の所定位置に配設され、画像データを含むデータ信号を受信する受信コイルと、
前記受電コイルに電力が給電された状態で、前記受信コイルで受信したデータ信号から画像データを抽出し、この画像データに基づいた画像を前記表示部に書き込む書込手段と、
前記表示部に表示された画像データを記憶する記憶手段と、を有し、
前記書込シートは、前記表示記録媒体が載置される載置面と、
前記載置面に平行に設けられ、前記受電コイルに電力を供給する給電コイルが複数配列された電力伝送層と、
前記給電コイルとインダクタンスが異なる送信コイルであって、前記受信コイルにデータ信号を送信する送信コイルが複数配列され、前記電力伝送層に重ねて設けられた信号伝送層と、
前記複数の給電コイルおよび前記複数の送信コイルの各々において順次磁界を発生させ、前記表示記録媒体の前記受電コイルに対応した給電コイル、前記受信コイルに対応した送信コイルを、当該磁界を発生させた前記給電コイルおよび前記送信コイルのインダクタンスの変化に基いて同時に抽出する抽出手段と、
前記抽出手段によって抽出された前記給電コイルおよび前記送信コイルを介して、前記表示記録媒体の前記受電コイルおよび前記受信コイルに電力および画像データを含むデータ信号を送信する送信手段と、を有する
ことを特徴とする画像処理システム。
【請求項２】
請求項１記載の画像処理システムにおいて、
前記表示部に処理を示すアイコンを表示するためのアイコン画像データを記憶するアイコン画像データ記憶手段と、
前記書込手段により前記アイコンを前記表示部の指定領域内に表示させ、前記アイコンが利用者によって指示されたことを検出する指示アイコン検出手段と、
前記指示アイコン検出手段によって検出されたアイコンに対応した処理を実行する処理実行手段と、を備えた
ことを特徴とする画像処理システム。
【請求項３】
請求項２記載の画像処理システムにおいて、
前記表示記録媒体の前記載置面上の配置を検出する媒体配置検出手段と、
前記媒体配置検出手段によって検出された前記表示記録媒体の配置から前記指定領域を設定する指定領域設定手段と、を備えた
ことを特徴とする画像処理システム。
【請求項４】
請求項３記載の画像処理システムにおいて、
前記指定領域設定手段は、前記媒体配置検出手段によって検出された表示記録媒体の配置から、各表示記録媒体が重なり合わない場合には、前記表示部内の所定位置を前記指定領域とする
ことを特徴とする画像処理システム。
【請求項５】
請求項３記載の画像処理システムにおいて、
前記指定領域設定手段は、前記媒体配置検出手段によって検出された表示記録媒体の配置から、各表示記録媒体が重なり合っている場合には、上側に位置する表示記録媒体の表示部のうち、互いに重なり合う表示部の領域を前記指定領域とする
ことを特徴とする画像処理システム。
【請求項６】
請求項３〜５のいずれか１に記載の画像処理システムにおいて、
前記媒体配置検出手段は、前記抽出手段によってそれぞれ抽出された前記受電コイルに対応する給電コイル、前記受信コイルに対応する送信コイルによって、前記載置面における表示記録媒体の配置を検出する
ことを特徴とする画像処理システム。
【請求項７】
請求項２〜６のいずれか１に記載の画像処理システムにおいて、
前記表示記録媒体の表示部に既に表示されている画像或いは表示記録媒体の重なり具合に基づき、前記アイコン画像データ記憶手段からアイコン画像データを抽出するアイコン抽出手段と、を具備する
ことを特徴とする画像処理システム。
【請求項８】
請求項２〜７のいずれか１に記載の画像処理システムにおいて、
前記処理実行手段は、前記アイコン毎に実行される処理が記憶された処理記憶手段と、
前記指示アイコン検出手段によって検出されたアイコンに対応した処理を前記処理記憶手段から読み出す処理読出手段と、を具備する
ことを特徴とする画像処理システム。
【請求項９】
請求項２〜８のいずれか１に記載の画像処理システムにおいて、
前記アイコン画像データ記憶手段に記憶されるアイコン画像データは、アイコンとアイコンの内容を記載したコードを表示するためのデータであり、
前記指示アイコン検出手段は、前記コードを読み取る読取手段である
ことを特徴とする画像処理システム。
【請求項１０】
画像を表示する表示部を有する複数の表示記録媒体と、アイコンを表示するための画像データを記憶する画像データ記憶手段を有し前記複数の表示記録媒体の表示部にアイコンを書き込む書込シートと、を具備する画像処理システムであって、
前記表示記録媒体は、
当該表示記録媒体の所定位置に配設され、電力を受電する受電部と、
前記表示記録媒体の所定位置に配設され、画像データを含むデータ信号を受信する受信部と、
前記受電部で電力が給電された状態で、前記受信部で受信したデータ信号から画像データを抽出し、この画像データに基づいたアイコンを前記表示部の指定領域内に書き込む書込手段と
を有し、
前記書込シートは、
前記表示記録媒体が載置される載置面と、
前記載置面に平行に設けられ、前記受電部に電力を供給するための給電部が複数配列された電力伝送層と、
前記電力伝送層に重ねて設けられ、前記受信部にデータ信号を送信するための送信部が複数配列された信号伝送層と、
前記表示記録媒体の前記受電部に対応した給電部、前記受信部に対応した送信部を抽出する第１の抽出手段と、
前記第１の抽出手段によって抽出された給電部と送信部によって、前記載置面における前記複数の表示記録媒体の配置を検出する媒体配置検出手段と、
前記媒体配置検出手段によって検出された前記複数の表示記録媒体の配置から、前記複数の表示記録媒体の重なり具合を算出し、前記複数の表示記録媒体が重なり合わない場合には、前記表示部内の所定位置を前記指定領域として設定し、前記複数の表示記録媒体が重なり合っている場合には、上側に位置する表示記録媒体の前記表示部のうち、下側に位置する表示記録媒体と重なる領域を前記指定領域として設定する指定領域設定手段と、
前記表示記録媒体の重なり具合に基づき、前記画像データ記憶手段から画像データを抽出する第２の抽出手段と、
前記第１の抽出手段によって抽出された前記給電部および前記送信部を介して、前記表示記録媒体の前記受電部および前記受信部に電力、データ信号、および前記指定領域を示す情報を送信する送信手段と、
を有することを特徴とする画像処理システム。
【発明の詳細な説明】
【技術分野】
【０００１】
本発明は、表示記録媒体（所謂、電子ペーパー）に対して画像の書き込みを行う画像処理システムに関する。
【背景技術】
【０００２】
近年、パーソナルコンピュータのＧＵＩ（Graphical User Interface）において、表示を三次元構造化することにより、人の空間感覚を情報認識／操作に組み込み、複数のコンテンツに対する情報操作ユーザビリティを改善する技術が開発されている。さらに、アイコンなどがディスプレイ内に表示されるユーザ・インターフェースに対し、間接的に人の空間感覚を応用する以外に、タンジブル・ビットのような物理的なユーザ・インターフェースによって、直接的に人の空間感覚に訴える情報操作ユーザビリティの技術が開発されている。物理的なユーザ・インターフェースは、ディスプレイ内に表示されるユーザ・インターフェースと異なり、実際にその物に触れたり掴めたりするため、人がその物に対してどのような物理的操作ができるかということを直感的に理解しやすいという利点がある。
【０００３】
例えば、特許文献１には、複数の媒体（コンテンツ）を画像認識により連携させ、実空間での情報操作を可能とする発明が開示されている。
【特許文献１】特開２００１−２６５５２３号公報
【発明の開示】
【発明が解決しようとする課題】
【０００４】
本発明の目的は、表示記憶媒体の表示部に対する画像処理の動作指示を、利用者が直感的に行い易くした画像処理システムを提供することにある。
【課題を解決するための手段】
【０００５】
前記目的を達成するために、本発明が採用する画像処理システムの発明は、画像を表示する表示部を有する表示記録媒体と、前記表示記録媒体の表示部に画像を書き込む書込シートと、を具備する画像処理システムであって、
前記表示記録媒体は、当該表示記録媒体の所定位置に配設され、電力を受電する受電コイルと、前記表示記録媒体の所定位置に配設され、画像データを含むデータ信号を受信する受信コイルと、前記受電コイルに電力が給電された状態で、前記受信コイルで受信したデータ信号から画像データを抽出し、この画像データに基づいた画像を前記表示部に書き込む書込手段と、
前記表示部に表示された画像データを記憶する記憶手段と、を有し、
前記書込シートは、前記表示記録媒体が載置される載置面と、前記載置面に平行に設けられ、前記受電コイルに電力を供給する給電コイルが複数配列された電力伝送層と、前記給電コイルとインダクタンスが異なる送信コイルであって、前記受信コイルにデータ信号を送信する送信コイルが複数配列され、前記電力伝送層に重ねて設けられた信号伝送層と、前記複数の給電コイルおよび前記複数の送信コイルの各々において順次磁界を発生させ、前記表示記録媒体の前記受電コイルに対応した給電コイル、前記受信コイルに対応した送信コイルを、当該磁界を発生させた前記給電コイルおよび前記送信コイルのインダクタンスの変化に基いて同時に抽出する抽出手段と、前記抽出手段によって抽出された前記給電コイルおよび前記送信コイルを介して、前記表示記録媒体の前記受電コイルおよび前記受信コイルに電力および画像データを含むデータ信号を送信する送信手段と、を有することを特徴とする。
【０００６】
上記画像処理システムにおいて、前記表示部に処理を示すアイコンを表示するためのアイコン画像データを記憶するアイコン画像データ記憶手段と、前記書込手段により前記アイコンを前記表示部の指定領域内に表示させ、前記アイコンが利用者によって指示されたことを検出する指示アイコン検出手段と、前記指示アイコン検出手段によって検出されたアイコンに対応した処理を実行する処理実行手段と、を備えたことを特徴とする。
【０００７】
上記画像処理システムにおいて、前記表示記録媒体の前記載置面上の配置を検出する媒体配置検出手段と、前記媒体配置検出手段によって検出された前記表示記録媒体の配置から前記指定領域を設定する指定領域設定手段と、を備えたことを特徴とする。
【０００８】
上記画像処理システムにおいて、前記指定領域設定手段は、前記媒体配置検出手段によって検出された表示記録媒体の配置から、各表示記録媒体が重なり合わない場合には、前記表示部内の所定位置を前記指定領域とすることを特徴とする。
【０００９】
上記画像処理システムにおいて、前記指定領域設定手段は、前記媒体配置検出手段によって検出された表示記録媒体の配置から、各表示記録媒体が重なり合っている場合には、上側に位置する表示記録媒体の表示部のうち、互いに重なり合う表示部の領域を前記指定領域とすることを特徴とする。
【００１０】
上記画像処理システムにおいて、前記媒体配置検出手段は、前記抽出手段によってそれぞれ抽出された前記受電コイルに対応する給電コイル、前記受信コイルに対応する送信コイルによって、前記載置面における表示記録媒体の配置を検出することを特徴とする。
【００１１】
上記画像処理システムにおいて、前記表示記録媒体の表示部に既に表示されている画像或いは表示記録媒体の重なり具合に基づき、前記アイコン画像データ記憶手段からアイコン画像データを抽出するアイコン抽出手段と、を具備することを特徴とする。
【００１２】
上記画像処理システムにおいて、前記処理実行手段は、前記アイコン毎に実行される処理が記憶された処理記憶手段と、前記指示アイコン検出手段によって検出されたアイコンに対応した処理を前記処理記憶手段から読み出す処理読出手段と、を具備することを特徴とする。
【００１３】
上記画像処理システムにおいて、前記アイコン画像データ記憶手段に記憶されるアイコン画像データは、アイコンとアイコンの内容を記載したコードを表示するためのデータであり、
前記指示アイコン検出手段は、前記コードを読み取る読取手段であることを特徴とする。
【００１４】
上記画像処理システムにおいて、前記給電部および前記受電部、前記受信部および前記送信部は、コイルによって形成されることを特徴とする。
【発明の効果】
【００１５】
本発明による画像処理システムにあっては、表示記録媒体を書込シートの載置面に載置することにより、前記表示記憶媒体の受電部と前記書込シートの給電部と、前記表示記録媒体の受信部と前記書込シートの送信部とが各々電気的に結合され、前記受電部で電力が給電された状態でデータ信号が受信部で受信されると、前記表示記録媒体の表示部には、画像データに基づいた画像が表示される。このように、本画像処理システムでは、表示記録媒体を書込シートの載置面に乗せることで、表示記録媒体の画像切換えを容易に行うことが可能となる。
【００１６】
また、画像処理システムにあっては、処理を示すアイコンを表示記録媒体媒体の表示部内に表示させるようにしたから、利用者は、表示記録媒体の表示部を見た状態のまま、画像書換等の処理を指示することができ、誤指示を防止すると共に、表示記録媒体の画像書換等の処理をより簡単・確実に行うことができる。
【発明を実施するための最良の形態】
【００１７】
以下、図面を参照して本発明の実施形態について説明する。
［実施形態］
（Ａ：構成）
（Ａ−１：画像処理システムの全体構成）
図１は画像処理システム１の全体構成を示す図である。この画像処理システム１は、薄手の平面状に構成された書込シート１００と、薄手の平面に形成された表示記録媒体である電子ペーパー２００と、コードを読み取って無線で信号を送信するペン３００と、を備える。また、図１には、電子ペーパー２００を１つしか図示していないが、この電子ペーパー２００は複数であってもよい。
【００１８】
書込シート１００は、平坦な載置面１１０を有し、その載置面１１０から電子ペーパー２００に対して磁界結合を利用して電力および画像データの供給を行う装置である。電子ペーパー２００は、受電コイル２３１を介して受信した書込電圧を受けて書込開始状態にし、受信コイル２２１を介して受信したデータ信号を受けて画像データを生成した上で、この画像が表示部に書き込まれるようになっている。
次に、各構成要素について説明する。
【００１９】
（Ａ−２：電子ペーパーの構成）
図２は電子ペーパー２００の構成の一例を示すブロック図である。
制御部２１０はＣＰＵ（Central Processing Unit）などの演算装置であり、バス２９０を介して、信号受信層２２０、電力受電層２３０、記憶部２４０及び表示部２５０を制御する。記憶部２４０はＲＯＭ（Read Only Memory）やＳＲＡＭ（Static Random Access Memory）などのメモリであり、表示部２５０に表示する画像データや制御部２１０に読み込まれる制御プログラムなどを記憶する他、電子ペーパー２００に固有の媒体識別情報ＭＩＤが記憶される。
【００２０】
この制御部２１０と記憶部２４０はフィルム状の電子回路基板である基板２６０上に実装される。信号受信層２２０は受信コイル２２１を備える。この受信コイル２２１は、書込シート１００からの要求に応じて上述する媒体識別情報ＭＩＤに対応する信号を送信する他、書込シート１００から画像データを受け取る。電力受電層２３０は、書込シート１００から電力を受け取る受電コイル２３１を備える。表示部２５０は例えば矩形状の表示領域を有しており、制御部２１０による制御の下で、画像データに基づいた画像をその表示領域に表示する。
この表示部２５０の表示方式は、電力の供給がなくても、表示内容を維持することができる表示方式であり、例えば、マイクロカプセル方式をはじめ、電子粉流体方式、液晶方式など様々な方式を採用することができる。従って、画像の書き込み時のみ書き換え用の電力を供給し、それ以外では表示のための電力の供給を行わないため、表示状態を維持するためであっても常時電力を必要とするメモリ性の無い表示方式と比較して、消費電力が極めて少なく、表示維持のための電源を備えていなくてもよいという特徴を有する。
【００２１】
また、表示部２５０の領域およびコイルの配置関係は、図３に示すようになる。
図３は、電子ペーパー２００の表示部２５０を座標化して表示したものである。
表示部２５０の四隅は、座標（０，０）、（Ｘｎ，０）、（Ｘｎ，Ｙｎ）、（Ｘｎ，Ｙｎ）、受電コイル２３１の中心は、座標（Ｘ0A，Ｙ0）、受信コイル２２１の中心は、座標（Ｘ0B，Ｙ0）となる。
但し、座標単位は、書込シート１００の座標単位と一致するものとする。
【００２２】
（Ａ−３：書込シートの構成）
図３は書込シート１００の構成を示す図である。
図に示すように、書込シート１００は、載置面１１０（図１参照）、信号伝送層１２０、電力伝送層１３０、スイッチ層１４０Ａ，１４０Ｂ、検出部１５０、制御部１６０、記憶部１７０および無線受信部１９５を備え、これらがバス１９０を介して接続されている。検出部１５０、制御部１６０および記憶部１７０は、電子回路基板である基板１８０上に実装される。
【００２３】
信号伝送層１２０は、載置面１１０に平行な平面に格子状に配列された複数の送信コイル１２１を備えている。これら送信コイル１２１にはそれぞれ固有の識別情報ＳＩＤＡが割り振られている。スイッチ層１４０Ａは、信号伝送層１２０に備えられた各送信コイル１２１に対応するスイッチ（図示略）を備えており、順次スイッチをオン状態にすることによって、スイッチに対応する送信コイル１２１に電流を順次流し、送信コイル１２１から磁界を発生させるようになっている。
【００２４】
電力伝送層１３０は、載置面１１０に平行な平面に格子状に配列された複数の給電コイル１３１を備えている。これら給電コイル１３１にはそれぞれ固有の識別情報ＳＩＤＢが割り振られている。スイッチ層１４０Ｂは、電力伝送層１３０に備えられた各給電コイル１３１に対応するスイッチ（図示略）を備えており、順次スイッチをオン状態にすることによって、スイッチに対応する給電コイル１３１に電流を順次流し、給電コイル１３１から磁界を発生させるようになっている。
【００２５】
検出部１５０は、各送信コイル１２１および各給電コイル１３１のインダクタンスを監視する。この検出部１５０からの信号を受けて、制御部１６０では、インダクタンスが著しく変化する給電コイル１３１および送信コイル１２１を、受電コイル２３１および受信コイル２２１に対向するコイルとして特定する処理を行う。そして、制御部１６０は、特定された送信コイル１２１および給電コイル１３１を信号送信および電力供給に使用するコイルとして記憶部１７０に記憶する。
【００２６】
制御部１６０は、例えばＣＰＵなどの演算装置であり、記憶部１７０に格納されている各種プログラムを読み出して実行することにより、書込シート１００各部の制御を司る。記憶部１７０はフラッシュメモリなどの記憶装置であり、制御部１６０に読み込まれるプログラムや、プログラムを実行するのに必要な情報を格納・記憶する。
この記憶部１７０は、表示媒体２００が表示する画像データのほか、各々の表示媒体２００とこれらに送信する画像データとの対応関係を記述した画像データ対応表１７１と、受信コイル２２１と送信コイル１２１との対応関係を記述する識別情報対応表１７２と、表示部２５０の指定領域にアイコン（処理を示すマーク；ミニＵＩ（ユーザ・インターフェース））を表示させるためのアイコン画像データとなるアイコン情報対応表１７３と、各アイコン（コード）に対応した処理を示す処理対応表（図示せず）、表示部２５０に書き込みを行うための画像データ等を記憶する。
【００２７】
また、記憶部１７０には、図３に示す表示部２５０の領域およびコイルの配置関係等、各種データがパラメートとして記憶される。
なお、表示媒体２００の表示部２５０は、同時に１ページ分の画像データを表示するが、記憶部１７０に記憶された各画像データは、１又は複数ページの画像データからなるファイルであり、各画像データにはページ番号が割り当てられている。
また、指定領域に表示されるアイコンは、処理を示すマークとコード（例えば、バーコード、ＱＲコード等）とからなる。
【００２８】
書込シート１００の送信コイル１２１、給電コイル１３１の配置は、例えば、図５に示すように配置されている。つまり、各送信コイル１２１および各給電コイル１３１は重なった位置で格子状に配置され、その範囲は、座標（０，０）、（Ｘ35，０）、（Ｘ35，Ｙ25）、（０，Ｙ25）となる。
【００２９】
ここで、電子ペーパー２００の受信コイル２２１および受電コイル２３１に対応する送信コイル１２１および給電コイル１３１を特定する処理について説明する。
図５に示すように、電子ペーパー２００が載置面１１０上に置かれると、制御部１６０は、スイッチ層１４０Ａ，１４０Ｂの各スイッチを順次オン・オフ動作させて、送信コイル１２１、給電コイル１３１に順次磁界を発生させる。検出部１５０で送信コイル１２１、給電コイル１３１のインダクタンスを監視する。対応するコイルがある場合には、誘導磁界が発生するため、検出部１５０で検出されるインダクタンスが著しく変化することになる。これにより、制御部１６０は、電子ペーパー２００の受信コイル２２１および受電コイル２３１に対応する送信コイル１２１および給電コイル２２１を特定する。
図５の場合、受信コイル２２１に対応する送信コイル１２１は、座標（Ｘ16，Ｙ9）に位置するコイル、受電コイル２３１に対応する給電コイル１３１は、座標（Ｘ13，Ｙ11）に位置するコイルが特定されることになる。
【００３０】
信号送信用のコイル（送信コイル１２１および受信コイル２２１）と、電力供給用のコイル（給電コイル１３１と受電コイル２３１）とでインダクタンスの大きさを変えておくことで、コイルを特定する処理を同時に行うことも可能となる。インダクタンスの大きさを変える手段としては、コイルの巻数或いは径を変えればよい。
また、受信コイル２２１は送信コイル１２１に対して任意の相対位置に置かれるため、上述した磁界結合を確実に形成するためには、受信コイル２２１が送信コイル１２１よりも大きいことが望ましい。同様に、受電コイル２３１は給電コイル１３１よりも大きいことが望ましい。
【００３１】
一方、無線受信部１９５は、ペン３００で読み取ったコード信号を無線通信を介して受信するものである。制御部１６０は、受信したコード信号から利用者が要求した処理動作を記憶部１７０の処理対応表から読み出し、さらにこの処理に応じた画像データを読み出して送信コイル１２１を介して電子ペーパー２００に送信する処理を行う。
【００３２】
（Ａ−３−１：画像データ対応表の構成）
次に、画像データ対応表１７１について説明する。
図６は画像データ対応表１７１を示す図であり、この図に示すような画像データ対応表１７１が記憶部１７０の所定の領域に予め記憶されている。画像データ対応表１７１には、各電子ペーパー２００の媒体識別情報ＭＩＤと、その媒体識別情報ＭＩＤが示す電子ペーパー２００に対して最後に送信した画像データが属するファイルのファイル名およびその画像データに割り当てられたページ数が対応付けられて記述されている。
図に示す例では、媒体識別情報ＭＩＤが「ＭＩＤ−１」の電子ペーパー２００には、ファイル名「ＤＡＴＡ１」に含まれるページ「１」にあたる画像データが最後に送信されたことが記述されている。
【００３３】
（Ａ−３−２：識別情報対応表の構成）
次に、識別情報対応表１７２について説明する。
図７は識別情報対応表１７２を示す図であり、この図に示すような識別情報対応表１７２が記憶部１７０の所定の領域に予め記憶されている。この識別情報対応表１７２には、信号伝送層１２０に設けられた全ての送信コイル１２１の識別情報ＳＩＤと、各送信コイル１２１の中心座標とが対応付けられて記述されている。この中心座標は、書込シート１００の載置面１１０に定めた２次元のＸＹ座標によって表わされる。なお、この識別情報対応表１７２は、送信コイル１２１について記載したものであるが、給電コイル１３１においても同様の対応表を備えるものとし、その説明および図示は省略する。
また、識別情報対応表１７２には、媒体識別情報ＭＩＤを記述するフィールドが設けられている。初期状態において、このフィールドはブランクであるが、いずれかの送信コイル１２１が受信コイル２２１から媒体識別情報ＭＩＤを示す信号を受信したとき、制御部１６０は、その送信コイル１２１の識別情報ＳＩＤに対応するフィールドに、受信した媒体識別情報ＭＩＤを記述する。
図に示す例では、媒体識別情報ＭＩＤが「ＭＩＤ−１」の電子ペーパー２００の受信コイル２２１に対応する送信コイル１２１の識別情報ＳＩＤ−２８８で座標（Ｘ16，Ｙ9）となることが記述されている。
【００３４】
（Ａ−３−３：アイコン情報の構成）
次に、アイコン情報対応表１７３について説明する。
図８はアイコン情報対応表１７３を示す図であり、この図に示すようなアイコン情報対応表１７３が記憶部１７０の所定の領域に予め記憶されている。このアイコン情報対応表１７３には、電子ペーパー２００に書き込まれた画像或いは電子ペーパー２００の重なり具合等によって選択されるアイコン群情報ＡＤ１〜ＡＤ４が記憶されている。
例えば、載置面１１０に電子ペーパー２００が単独で置かれ、表示部２５０に書き込まれていた画像が、連続するデータの１頁分となる場合には、次の頁を指定するアイコン、戻る頁を指定するアイコン、最初の頁を指定するアイコン、最後の頁を指定するアイコン等を表示するためのアイコン群がアイコン群情報となって記憶されている。また、前述した如く、このアイコン情報には、マークと共にコードを表示するためのデータが記憶されている。このため、表示部２５０にアイコン群が表示される際には、各アイコンと共にコードが表示されることになる。
一方、電子ペーパー２００が重なっている場合には、上記アイコンに加えて、表示画像を拡大するアイコン、下側に位置した電子ペーパー２００に表示された画像をコピーするアイコンが加わったアイコン群がアイコン情報となって記憶されている。
【００３５】
（Ａ−４：通信状態にある書込シートおよび媒体の構造）
図９は、電子ペーパー２００が書込シート１００の載置面１１０に置かれた状態を模式的に示す図である。
図に示すように、電子ペーパー２００は、下から順に、絶縁保護膜（図示略）、信号受信層２２０、電力受電層２３０、基板２６０及び表示部２５０が積層された構造となっている。一方、書込シート１００は、上から順に、絶縁保護膜（図示略）、信号伝送層１２０、スイッチ層１４０（１４０Ａ，１４０Ｂ）、電力伝送層１３０及び基板１８０が積層された構造となっている。
この構成において、信号伝送層１２０と信号受信層２２０とは、図示しない絶縁保護膜を挟んで、対向配置される。そして、信号伝送層１２０と信号受信層２２０のそれぞれに設けられたコイル同士が磁界結合を形成してデータ通信が行われる。さらに、これら２層を挟んで、電力伝送層１３０と電力受電層２３０のそれぞれに設けられたコイル同士が磁界結合を形成して、電力伝送層１３０から電力受電層２３０へ無線送電を行うことにより、電子ペーパー２００に電力が供給される。
【００３６】
（Ｂ：動作）
次に、画像処理システム１の動作を説明する。
図１０は画像処理システム１の動作の流れを説明するためのシーケンスチャートである。
上述したように電子ペーパー２００はメモリ性を有するため電力が供給されていない状態でも表示状態を維持できるので、電力供給を止めた後でも、電子ペーパー２００には、電子ペーパー２００が行った前回の画像書込処理によって書き込まれた画像がそのまま表示されている。
【００３７】
利用者は、このような前回の画像が表示された状態の電子ペーパー２００を書込シート１００の載置面１１０上に置く。書込シート１００の制御部１６０は、全ての送信コイル１２１および給電コイル１３１のインダクタンスを検出し（ステップＳ１）、受信コイル２２１に対応する送信コイル１２１、受電コイル２３１に対応する給電コイル１３１を特定する処理を行う（ステップＳ２）。
その後、制御部１６０は、特定された送信コイル１２１に電流を流して受信コイル２２１との間に磁界結合を形成し、特定された給電コイル１３１に電流を流して受電コイル２３１との間に磁界結合を形成する（ステップＳ３）。これにより、書込シート１００は電子ペーパー２００に対する書込処理の準備が完了する。
【００３８】
次に、書込シート１００の制御部１６０は、磁界結合を利用して電子ペーパー２００に固有の媒体識別情報ＭＩＤを送信するように要求する（ステップＳ４）。この要求に応じて電子ペーパー２００の制御部２１０は、記憶部２４０から媒体識別情報ＭＩＤを読出し、これに応じた信号を受信コイル２２１から送信する（ステップＳ５）。上述の要求をした送信コイル１２１がこの信号を受信すると、制御部１６０は、受信した信号に応じた媒体識別情報ＭＩＤを、この送信コイル１２１と対応付けて識別情報対応表１７２に記述する（ステップＳ６）。
【００３９】
一方、制御部１６０は、特定された送信コイル１２１および給電コイル１３１と、表示部２５０の領域の四隅の座標から、電子ペーパー２００の載置面１１０における配置を数学的に算出する（ステップＳ７）。そして、この座標を記憶部１７０に記憶する。
【００４０】
次に、制御部１６０は、既に表示されている画像或いは電子ペーパー２００の配置状態から、記憶部１７０のアイコン情報対応表１７３からアイコン群を抽出する（ステップＳ８）。この際、表示部２５０におけるアイコン群の指定領域も設定してアイコン画像データを生成する（詳細は具体例で説明する）。
そして、制御部１６０は、ステップＳ８で生成したアイコン画像データを送信コイル１２１、受信コイル２２１を介して電子ペーパー２００に送信する（ステップＳ９）。
【００４１】
このアイコン画像データを受信した電子ペーパー２００の制御部２１０は、画像データを解析して、指定領域にアイコン群を表示する（ステップＳ１０）。例えば、図５の場合には、図１２に示すようなアイコン群２５０ａの表示が行われる。なお、図示はマークのみでコードの表示は省略する。
【００４２】
このアイコン群の表示を見た利用者は、アイコンと共に表示されたコードをペン３００で読み取ることにより、指示されたアイコンを表す読取信号がペン３００から書込シート１００の無線受信部１９５に送信される（ステップＳ１１）。
書込シート１００の制御部１６０は、利用者が指示したアイコンに対応した処理を処理対応表から読み出し、この処理に応じた画像データを生成し（ステップＳ１２）、電子ペーパー２００に送信する。この際、給電コイル１３１から受電コイル２３１には書換に必要な電力が供給される。
そして、電子ペーパー２００の制御部２１０では、受信した画像データを解析し、表示部２５０にアイコンの指示に応じた画像を書き込む（ステップＳ１３）。
【００４３】
（Ｃ：具体例）
次に、本実施形態による画像処理システムによって、電子ペーパー２００の表示部２５０にアイコンが表示されるまでの処理を、具体例を挙げて説明する。
＜具体例１＞
図５および図１１は、載置面１１０上に１つの電子ペーパー２００を載置した場合を例示している。
図５のように、電子ペーパー２００を載置面１１０に置いた場合には、制御部１６０はステップＳ２によるコイル特定処理によって、電子ペーパー２００の受信コイル２２１に対応する送信コイル１２１の座標（Ｘ16，Ｙ9）、受電コイル２３１に対応する給電コイルの座標（Ｘ13，Ｙ11）として特定した上で、ステップＳ７の配置検出処理によって、載置面１１０上の表示部２５０の四隅は、座標（Ｘ12，Ｙ10）、（Ｘ19，Ｙ6）、（Ｘ24，Ｙ15）、（Ｘ17，Ｙ19）となることが、数学的に算出される。
【００４４】
次に、制御部１６０は、既に表示部２５０に表示されている画像からアイコン群を抽出する。例えば、表示部２５０に表示されている連続するデータの１頁部分となる場合には、次の頁を指定するアイコン、戻る頁を指定するアイコン、最初の頁を指定するアイコン、最後の頁を指定するアイコン等を表示するためのアイコン情報をアイコン情報対応表１７３から抽出する。しかも、重なる他の電子ペーパー２００がないため、予め設定した所定領域を指定領域とする位置情報をアイコン情報に付加し、アイコン画像データとして生成する。
【００４５】
上述のように生成されたアイコン画像データを受けて電子ペーパー２００は、図１１に示すようなアイコン群２５０ａの表示が行われる。このアイコン群２５０ａでは、最初のページに飛ぶ、ページ戻し、ページ送り又は最後のページに飛ぶことを指示するための４つの領域が表示される。
【００４６】
＜具体例２＞
次に、載置面１１０上に２つの電子ペーパー２００Ａ，２００Ｂを重ねて置いた場合を、図１２および図１３に基づいて説明する。
制御部１６０はステップＳ２によるコイル特定処理によって、電子ペーパー２００の受信コイル２２１に対応する送信コイル１２１、受電コイル２３１に対応する給電コイルの座標を特定する。
この際、電子ペーパー２００が載置面１１０上に順番に置かれてゆく場合には、特定処理は順次行われるため、先にコイルが特定された電子ペーパー２００が下側に位置し、後にコイルが特定された電子ペーパー２００が上側に位置したものとして判定される。
一方、複数の電子ペーパー２００が同時に載置面１１０上に置かれた場合には、先の特定処理において送信コイル１２１および給電コイル１３１が多数特定されつことになるため、受信コイル２２１と受電コイル２３１の距離から、１つの電子ペーパー２００におけるコイル２２１，２３１（コイル１２１，１３１）の位置を特定する。しかし、この場合、電子ペーパー２００の上下の判定は不可能となる。
【００４７】
図１１の場合、電子ペーパー２００Ａの受信コイル２２１Ａに対応する送信コイル１２１の座標は（Ｘ19，Ｙ12）、受電コイル２３１Ａに対応する給電コイル１３１の座標は（Ｘ15，Ｙ12）となり、電子ペーパー２００Ｂの受信コイル２２１Ｂに対応する送信コイル１２１の座標は（Ｘ23，Ｙ5）、受電コイル２３１Ｂに対応する給電コイル１３１の座標は（Ｘ20，Ｙ5）となる。
さらに、制御部１６０は、ステップＳ７の配置検出処理によって、電子ペーパ２００Ａの表示部２５０の四隅の座標は（Ｘ14，Ｙ11）、（Ｘ22，Ｙ11）、（Ｘ22，Ｙ21）、（Ｘ14，Ｙ21）、電子ペーパ２００Ｂの表示部２５０の四隅の座標は（Ｘ19，Ｙ4）、（Ｘ27，Ｙ4）、（Ｘ27，Ｙ14）、（Ｘ19，Ｙ14）となることを数学的に算出する。
その後、制御部１６０は、表示部２５０Ａ，２５０Ｂが重なる領域の座標が（Ｘ19，Ｙ11）、（Ｘ22，Ｙ11）、（Ｘ22，Ｙ14）、（Ｘ19，Ｙ14）となることを算出し、さらにこの領域を表示部２５０の座標に置き換える。
【００４８】
次に、制御部１６０は、重なる電子ペーパー２００の上下が判断できている場合には、表示部２５０Ａ，２５０Ｂが重なる領域があることから、例えば、次の頁を指定するアイコン、戻る頁を指定するアイコン、最初の頁を指定するアイコン、最後の頁を指定するアイコンに加えて、表示画像を拡大するアイコン、下側に位置した電子ペーパー２００に表示された画像をコピーするアイコンを表示するためのアイコン情報をアイコン情報対応表１７３から抽出する。しかも、電子ペーパー２００の表示部２５０が重なっているため、重なっている領域を指定領域とした位置情報をアイコン情報に付加し、アイコン画像データとして生成する。
【００４９】
制御部１６０は、上側に位置した電子ペーパー２００Ａの受信コイル２２１Ａに対して生成されたアイコン画像データを送信する。アイコン画像データを受信した電子ペーパー２００の制御部２１０は、アイコン画像データを分析した上で、表示されるアイコン群および指定領域を表示部２５０Ａに反映させて、図１３に示すような表示を行う。このアイコン群２５０ｂでは、最初のページに飛ぶ、ページ戻し、ページ送り又は最後のページに飛ぶことを指示するための４つの領域、さらに表示画像を拡大するアイコン、下側に位置した電子ペーパー２００に表示された画像をコピーするアイコンの６つの領域が表示される。
【００５０】
一方、制御部１６０は、２つの電子ペーパー２００を同時に載置面１１０に置いた場合のように、電子ペーパー２００の上下の判定が困難となる場合には、下側に位置した電子ペーパー２００に表示された画像をコピーするアイコンの表示はアイコン群から削除されたアイコン画像データを生成する。そして、制御部１６０は、表示部２５０が重なる領域にアイコン群を表示するためのアイコン画像データを、各電子ペーパー２００に送信する。
これにより、各表示部２５０の重なった領域にアイコン群が各々表示されることになる。しかも、アイコンのページ戻し、ページ送りは、各電子ペーパー２００に既に表示される画像に応じて設定されているため、下側に位置した電子ペーパー２００に表示された画像をコピーする機能は使用できないものの、既に書き込まれている画像に基づいた画像処理は、各電子ペーパー２００に表示されるアイコンによって行うことが可能となる。
【００５１】
（Ｄ：実施形態の効果）
以上説明した実施形態によれば、電子ペーパー２００を書込シート１００の載置面１１０上のどの位置に置いたとしても、書込シート１００から電子ペーパー２００に対して電力と画像データを供給して、電子ペーパー２００の表示部２５０における画像を書き込みを行うことができる。よって、電子ペーパー２００には、電源を持たせる必要なく、画像データを記憶する不揮発性の記憶手段も必要ない。
【００５２】
また、電子ペーパー２００が表示した表示内容は電力の供給がなくても維持されるので、利用者は、書込シート１００から電子ペーパー２００を離しても表示は維持されるため、表示内容をいつでも確認することができる。
【００５３】
さらに、電子ペーパー２００には、書込シート１００から供給されるアイコン画像データに基づいて、処理を示すアイコン群が表示されるため、電子ペーパー２００に例えばキーやボタンなどの専用の指示手段を設けることで機構を複雑にする必要がなく、用途に合わせて柔軟性のあるアイコン配置を行うことができる。よって、電子ペーパー２００の装置構成が簡略化され、利便性も向上させることができる。
【００５４】
この画像処理システムにあっては、書込シート１００の載置面１１０に電子ペーパー２００を置くという動作のみで、電子ペーパー２００の表示部２５０に操作用のアイコンが表示されるため、利用者は、電子ペーパー２００の表示部２５０を操作するのに他の機器を使って間接的に操作する必要がなく、画像書換等の処理の指示をアイコンを介して行うことで、処理の指示を直感的に行うことができる。さらに、本システムでは、利用者が直接表示されている画像を見ながら、処理の指示を行えるため、誤指示を防止し、画像書換等の処理をより簡単・確実に行うことができる。
【００５５】
（Ｅ：変形例）
上記の実施形態を以下のように変形してもよい。
＜変形例１＞
前記実施形態においては、載置面１１０上に電子ペーパー２００を２つ置いた場合（図１２、参照）を記載したが、本発明はこれに限るものではなく、３つ以上の電子ペーパー２００が置かれた場合であっても、同様の処理によってアイコン表示を行うことが可能となる。
【００５６】
＜変形例２＞
前記実施形態では、利用者がアイコンを指示したことを、アイコンに対応したコードをペン３００で読み取ることによって実現したが、指示したアイコンを検出する方法は、これに限るものではない。
例えば、格子状に配置されたフォトセンサおよび圧力センサを有するセンサ層を載置面１１０に設けるようにしてもよい。この場合、フォトセンサは、光が電子ペーパー２００によって遮られることで、制御部１６０は載置面１１０上の配置を測定する。重なり合っている場合にはその重なり部分も数学的に算出する。制御部１６０は、この情報に基づき、アイコン群が表示される領域に対応する圧力センサを特定しておく。そして、利用者がアイコンを押圧することで、アイコンに対応した圧力センサが反応し、制御部１６０は、指示されたアイコンを特定する。
【００５７】
＜変形例３＞
前記実施形態では、信号伝送層１２０の各送信コイル１２１、電力伝送層１３０の各給電コイル１３１を格子状に配置する場合を例示したが、配置はこれに限らず、任意であっても、電子ペーパー２００の受信コイル２２１と受電コイル２３１に対応する送信コイル１２１と給電コイル１３１が特定できればよい。
【００５８】
＜変形例４＞
前記実施形態では、書込シート１００に内蔵した制御部１６０、記憶部１７０および検出部１５０等の機能は、書込シート１００からインターフェースを介して接続されたパーソナルコンピュータに設けるようにしてもよい。さらに、記憶部１７０に記憶・格納されたデータは、ネットワークを介して外部のサーバに記憶・格納して、処理動作を行う毎に、データの授受を行うようにしてもよい。
【図面の簡単な説明】
【００５９】
【図１】本発明の実施形態による画像処理システムの全体を示す斜視図である。
【図２】電子ペーパーの構成を示す図である。
【図３】電子ペーパーの平面図である。
【図４】書込シートの構成を示す図である。
【図５】書込シートの平面図である。
【図６】画像データ対応表を示す図である。
【図７】識別情報対応表を示す図である。
【図８】アイコン情報対応表を示す図である。
【図９】画像処理システムの電気的接続を模式的に示す図である。
【図１０】画像処理システムの動作を示すシーケンスチャートである。
【図１１】電子ペーパーにアイコン群が表示される例を示す図である。
【図１２】書込シートに２つの電子ペーパーが置かれた状態を示す平面図である。
【図１３】２つの電子ペーパーを重ねた状態でアイコン群が表示される例を示す図である。
【符号の説明】
【００６０】
１００…書込シート、１２０…信号伝送層、１２１…送信コイル、１３０…電力伝送層、１３１…給電コイル、１４０Ａ，１４０Ｂ（１４０）…スイッチ層、１５０…検出部、１６０…制御部、１７０…記憶部、１７１…画像データ対応表、１７２…識別情報対応表、１７３…アイコン情報対応表、１９５…無線受信部、２００…電子ペーパー、２１０…制御部、２２０…信号受信層、２２１…受信コイル、２３０…電力受電層、２３１…受電コイル、２４０…記憶部、２５０…表示部、３００…ペン。
【図１】
0005050829.tif 000002
【図２】
0005050829.tif 000003
【図３】
0005050829.tif 000004
【図４】
0005050829.tif 000005
【図５】
0005050829.tif 000006
【図６】
0005050829.tif 000007
【図７】
0005050829.tif 000008
【図８】
0005050829.tif 000009
【図９】
0005050829.tif 000010
【図１０】
0005050829.tif 000011
【図１１】
0005050829.tif 000012
【図１２】
0005050829.tif 000013
【図１３】
0005050829.tif 000014